(57)【要約】【課題】公知の方法及び装置の欠点を有さず、化粧組成物を塗布する間に持続して加熱効果が得られる、広い範囲の化粧組成物に適した器具及び方法を提供すること。【解決手段】本発明により、  −容器又は基材に保持された化粧組成物又は皮膚用組成物と、  −容器又は基材から分離することができ、皮膚の領域を手入れするための回転しない塗布表面（９）を有する塗布具（３）であって、皮膚に熱的な損傷を与えない温度に加熱して皮膚と１５秒間接触させた場合、この塗布表面の適用後の温度が３０℃以上であるような温度特性を有する少なくとも１つの材料を含む塗布具（３）とを備えたアセンブリを提供する。【選択図】図１５
2007181668.tif 000002
【特許請求の範囲】
【請求項１】
−  容器又は基材に保持された化粧組成物又は皮膚用組成物と、
−  前記容器又は基材から分離することができ、皮膚の領域を手入れするための回転しない塗布表面（９）を有する塗布具（３）であって、皮膚に熱的な損傷を与えない温度に加熱して皮膚と１５秒間接触させたとき、適用後の塗布表面の温度が３０℃以上であるような温度特性を有する少なくとも１つの材料を含む塗布具と
を備えたアセンブリ。
【請求項２】
塗布具（３）が電子レンジで加熱される、請求項１に記載のアセンブリ。
【請求項３】
３０℃以上８０℃以下の温度に加熱可能な化合物（Ｌ）を収容する少なくとも１つの空洞（１２）を有する請求項１又は２に記載のアセンブリ。
【請求項４】
組成物を含む、請求項１ないし３のいずれか１項に記載のアセンブリ。
【請求項５】
３０〜８０℃の温度に加熱すると化合物（Ｌ）の状態が変化する、請求項３又は４に記載のアセンブリ。
【請求項６】
前記化合物を少なくとも０．２ｃｍ３、好ましくは１〜８０ｃｍ３含む、請求項３ないし５のいずれか１項に記載のアセンブリ。
【請求項７】
塗布具が、手入れを行う領域に接触する塗布表面（９）を少なくとも部分的に画定し、且つ密度が１．５ｇ／ｃｍ３以上である非金属製の材料を含み、該材料が例えば石材又はガラスである、請求項１ないし６のいずれか１項に記載のアセンブリ。
【請求項８】
塗布具が、手入れを行う領域に接触する塗布表面（９）を少なくとも部分的に画定し、且つ１Ｗｍ−１Ｋ−１以上、好ましくは４０Ｗｍ−１Ｋ−１以上の熱伝導率を有する材料を含む、請求項１ないし７のいずれか１項に記載のアセンブリ。
【請求項９】
塗布具が、５００Ｊｋｇ−１Ｋ−１以上、好ましくは１，０００Ｊｋｇ−１Ｋ−１以上、さらに好ましくは２，０００Ｊｋｇ−１Ｋ−１以上の比熱を有する材料を含む、請求項１ないし７のいずれか１項に記載のアセンブリ。
【請求項１０】
塗布表面（９）が、１，０００Ｊｍ−２Ｋ−１ｓ−１／２以上、好ましくは５，０００Ｊｍ−２Ｋ−１ｓ−１／２以上、さらに好ましくは１０，０００Ｊｍ−２Ｋ−１ｓ−１／２以上の熱慣性を有する材料によって少なくとも部分的に画定される、請求項１ないし９のいずれか１項に記載のアセンブリ。
【請求項１１】
塗布具が、１Ｗｍ−１Ｋ−１以下、好ましくは０．５Ｗｍ−１Ｋ−１以下、さらに好ましくは０．１Ｗｍ−１Ｋ−１以下の熱伝導率を有する材料によって少なくとも部分的に画定された把持表面（１０）を有する、請求項１ないし１０のいずれか１項に記載のアセンブリ。
【請求項１２】
塗布具及び容器が共通の収容装置に収容される、請求項１ないし１１のいずれか１項に記載のアセンブリ。
【請求項１３】
塗布具が、空洞（１２）と、手入れを行う領域に接触する塗布表面（９）との間に、厚さ（ｅｍｉｎ）５０ｍｍ以下、特に０．１〜５０ｍｍ、好ましくは１ｍｍ以下、さらに好ましくは０．５ｍｍの壁を有する、請求項３に記載のアセンブリ。
【請求項１４】
５０℃に加熱して皮膚に適用したときの塗布具の温度が、少なくとも３０秒間、好ましくは１分間、さらに好ましくは１５〜３０分間、特に塗布表面で３０℃以上に保持される、請求項１ないし１３のいずれか１項に記載のアセンブリ。
【請求項１５】
塗布具を電子レンジに入れる時に塗布具を受容する安全カプセルを備えている、請求項１ないし１４のいずれか１項に記載のアセンブリ。
【請求項１６】
空洞が、一定でない厚みの壁によって画定される、請求項３ないし１５のいずれか１項に記載のアセンブリ。
【請求項１７】
空洞が外部から到達不能であるように塗布具が構成されている、請求項３ないし１６のいずれか１項に記載のアセンブリ。
【請求項１８】
−  １Ｗｍ−１Ｋ−１以上、好ましくは４０Ｗｍ−１Ｋ−１以上の熱伝導率を有する材料によって少なくとも部分的に画定された、回転しない塗布表面（９）と、
−  １Ｗｍ−１Ｋ−１以下、好ましくは０．５Ｗｍ−１Ｋ−１以下、さらに好ましくは０．１Ｗｍ−１Ｋ−１以下の熱伝導率を有する材料によって少なくとも部分的に画定された把持表面（１０）と、
−  ３０〜８０℃の温度で状態を変化させることができる化合物を少なくとも０．２ｍｌ収容する塗布具内部の空洞（１２）と
を備えた塗布具。
【請求項１９】
塗布表面（９）及び把持表面（１０）が、上下に組み立てられた２つの部材によってそれぞれ画定されている、請求項１８に記載の塗布具。
【請求項２０】
人体の少なくとも一領域を手入れする化粧のための非治療的な方法であって、
ａ）請求項１ないし１９に記載の塗布具を３０℃以上の温度に加熱するステップ、及び
ｂ）次いで、ステップａ）で加熱した塗布具に、塗布具の温度よりも周囲温度に近く且つ塗布具の温度と少なくとも５℃の差を有する温度の化粧組成物（Ｐ）を充填し、塗布具を用いて組成物を塗布するステップ、又は
ｃ）ステップａ）の前に又は後で、手入れを行う領域に、少なくとも１つの化粧組成物を適用し、ステップａ）の後で、ステップａ）で加熱した塗布具（３）を手入れを行う領域に接触させるステップ
を含む方法。
【請求項２１】
塗布具を電子レンジに入れることによって加熱する、請求項２０に記載の方法。
【発明の詳細な説明】
【技術分野】
【０００１】
本発明は、熱を利用した化粧又は皮膚の手入れ、或いは他のケラチン質材料、例えば髪の手入れに関する。
【背景技術】
【０００２】
特許文献１には、容器を電子レンジに入れて容器内に収容されている化粧組成物の温度を上昇させる化粧方法が開示されている。このようにして加熱された組成物は、塗布具を用いて塗布される。特許文献２にも、化粧組成物を含浸させた支持体を電子レンジに入れて化粧組成物の温度を上昇させる化粧方法が開示されている。
さらに、電子レンジに入れることができることにより、顔への熱の適用を簡単に行うことができるマスクが存在する。このようなマスクは、ＣＯＬＤＨＯＴ（登録商標）という商標名で３Ｍ社から販売されており、温かい状態で使用すると特定の化粧製品の効果を向上させることができる。
【０００３】
しかしながら、化粧製品を塗布前に電子レンジに入れて使用可能とすることにより、特定の配合に関する問題が生じる。
実際、特定の化粧組成物は加熱すると劣化し易く、熱に対して不安定である。
【０００４】
さらに、少量の組成物を局所的に使用する場合、組成物が空気及び皮膚と接触して冷やされるため、熱の効果は短時間しか持続しない。
その上、特定の分配装置は、特定の流体力学的特性を有する組成物で作動するように設計されており、温度の変化によって組成物の粘度が変化すると適切に機能しなくなることがある。
【０００５】
特許文献３には、熱抵抗体を備えた装置によって加熱することができ且つこの熱抵抗体と接触する金属製のボールが記載されている。
特許文献４には、中に加熱した液体を導入できるローラが記載されている。
【０００６】
特許文献５には、加熱手段を備えた容器内において、組成物を収容する小袋を加熱する、ケラチン組織の手入れ方法が記載されている。その小袋は、具体的には、金属化可能なプラスチックフィルムから形成される。
特許文献６には、製品を充填したブラシを加熱するための加熱壁を備えた製品リザーバに接続するマスカラブラシが記載されている。
【０００７】
特許文献７には、加熱ステムを備えたマスカラブラシが記載されている。
特許文献８には、化粧製品を収容する容器を導入して加熱することができる加熱容器が記載されている。この加熱容器は、加熱容器の壁部に供給される流体を加熱するための加熱手段を備えている。
【特許文献１】欧州特許第１５９３３１９号明細書
【特許文献２】仏国特許出願第２８４９７５３号明細書
【特許文献３】米国特許第３７５２１５５号明細書
【特許文献４】米国特許出願第２００３／０１００９３６号明細書
【特許文献５】国際公開第２００５／０８７０４３号パンフレット
【特許文献６】欧州特許出願第１４６２０２５号明細書
【特許文献７】米国特許第５７７５３４４号明細書
【特許文献８】米国特許第５８５６６５３号明細書
【発明の開示】
【発明が解決しようとする課題】
【０００８】
したがって、公知の方法及び装置の欠点を回避しながら、化粧組成物を塗布する間に持続して加熱効果を得られるようにすることが必要である。
本発明の目的は、広い範囲の化粧組成物に適する、熱の利用が可能なケラチン繊維の手入れ方法を提供することである。
【課題を解決するための手段】
【０００９】
本発明の一態様は、人体の少なくとも一領域の手入れを行う化粧のための非治療的方法であって、
ａ）塗布具を３０℃以上の温度に加熱するステップ、
ｂ）続いて、加熱した前記塗布具に、塗布具の温度よりも周囲温度に近く且つ塗布具の温度と少なくとも５℃の差がある温度の化粧製品を充填し、塗布具を使用して組成物を塗布するステップ、又は
ｃ）ステップａ）の前に又は後で、手入れを行う領域に少なくとも１つの化粧組成物を塗布し、且つステップａ）の後で、加熱した塗布具を、手入れを行う領域に接触させるステップ
を含む方法に関する。
組成物は、例えば、塗布具を接触させる直前に皮膚又は髪に塗布される。また、組成物は、行う手入れに応じて、１時間以上前に塗布しておくことも、場合によっては前日に塗布しておくこともできる。
【００１０】
本発明を使用して、人体の一領域を、熱を適用して化粧組成物により手入れすることができ、その化粧組成物は、使用時にのみ加熱されるものであれば、場合に応じてあらゆる種類とすることができる。
よって、組成物を容器から取り上げたとき、容器に残った使用されない組成物が熱の作用により劣化する危険を回避することができる。
【００１１】
塗布具は、マッサージ用具として使用することができる。
皮膚及び髪との連続的な接触時間は、例えば０．５秒〜３０分であり、つまり行われる手入れに応じて様々である。
【００１２】
熱を加えることによって組成物の作用を増進させることができ、それは例えば、組成物の作用のために皮膚を準備すること、毛穴を拡張すること、充血を起こさせること、活性物質の循環を刺激すること及び／又は浸透を促進させることによって得られる。塗布具はリラックス効果をもたらすことができる。
手入れを行う領域への組成物の分配を必ずしも同時に行うことなくその領域へ塗布具を接触させることができれば、場合に応じて、塗布具を使用することにより、手入れを行う領域に組成物が過剰に分配される危険なく、マッサージ作用をもたらすことができる。
【００１３】
本発明による方法は、ステップｂ）のみ又はステップｃ）のみを含むことができる。
塗布具を加熱する温度は、例えば５０℃以上８０℃以下とすることができる。
【００１４】
塗布具は、少なくとも１つの空洞内に化合物、特に加熱すると状態を変えることのできる化合物を有することができ、また、そのような状態変化を生じさせるのに十分に高い温度に加熱することができる。
上記化合物は、加熱によって液化する固体、例えばろうとすることができる。よって、この化合物を冷却すると、塗布具は凝固潜熱を回収することができる。
【００１５】
塗布具は、前記化合物を少なくとも０．２ｃｍ３含むことができる。
手入れを行う領域は、顔の皮膚か、或いは粘膜又は髪を含む体の他の部分とすることができる。
【００１６】
本発明の一実施形態では、本方法は、手入れを行う領域に組成物を担持する基材を適用することを含み、このとき塗布具は適用された基材と接触する。
基材は、織布、不織布又は発泡材料を含むことができる。
【００１７】
化粧組成物は、容器から取り上げて、手入れを行う領域に塗布することができる。組成物は、塗布具又はその他の手段によって、例えば指、ヘラ、又はポンプ等の分配装置を用いることにより、取り上げることができる。容器は分配ノズルを含むことができる。
同じ領域の又は異なる複数の領域の第１の手入れは、３０℃以上に温度を上昇させた塗布具によって行うことができ、且つ同じ領域又は複数の領域の第２の手入れは、１５℃以下に温度を下げた塗布具によって行うことができるか、又はその逆も可能である。その際、場合に応じて同じ塗布具を使用することができ、また異なる塗布具を使用することもできる。
【００１８】
化粧組成物は、加熱により塗布具が達した温度において状態を変化させることが可能な少なくとも１つの化合物を含むことができ、塗布具が化粧組成物に与える熱は、この化合物の少なくとも一部の状態に変化を生じさせるのに十分なもとすることができる。
組成物は、例えばしわに塗布することができ、その場合、塗布具をしわに接触させると、塗布具により化合物がしわの内側で瞬時に融解する。
【００１９】
化合物は粒子であってよい。化合物は、例えば、塗布具の塗布表面が達する温度、例えば３０℃以下の融点を有する少なくとも１つのポリマーが組み込まれた粒子を含むことができる。
必要であれば、場合によっては塗布具を周囲温度で使用することもできる。
塗布具を使用する時、組成物を閉鎖された容器内に保持することができる。
【００２０】
本発明のさらなる目的は、別の態様において、
−  任意で、容器又は基材に保持された化粧組成物又は皮膚用組成物と、
−  容器又は基材から分離可能な塗布具であって、皮膚の一領域を手入れするための塗布表面を有し、皮膚に熱的な損傷を与えない温度に電子レンジで加熱し、塗布表面を皮膚と１５秒間接触させた場合、塗布後に塗布表面の温度が３０℃以上となるような温度特性を有する少なくとも１つの材料を含む塗布具と
を備えた器具を提供することである。
本発明のさらなる目的は、また別の態様において、
−  任意で、容器又は基材に保持された化粧組成物又は皮膚用組成物と、
−  手入れを行う領域に接触させる塗布表面を有し、化合物、例えば３０℃以上８０℃以下の温度に加熱した時に状態を変化させることができる化合物を収容する少なくとも１つの空洞を有する塗布具と
を備えたアセンブリを提供することである。
【００２１】
塗布表面は回転式でない。つまり、塗布表面は、回転軸を中心に回転可能に組み立てられた要素、例えば回転ボール又は回転ローラによって画定されていない。非回転式の塗布表面を使用することによって、比較的高い温度で大きな面積の表面を、手入れされる皮膚の領域に適用することができる。このような効果は回転式塗布要素を使用する場合には得られない。
塗布具は非金属製とすることができる。化合物は液体であってよい。
【００２２】
器具は、前記化合物を少なくとも０．２ｃｍ３、好ましくは１〜８０ｃｍ３、特に５〜７０ｃｍ３含むことができる。
塗布具は、手入れを行う領域に接触する塗布表面を少なくとも部分的に画定する比較的高密度の、例えば１．５ｇ／ｃｍ３以上の密度の材料を含むことができる。この材料は、ガラス又は石材とすることができる。
【００２３】
塗布具は、塗布表面を少なくとも部分的に画定し且つ１Ｗｍ−１Ｋ−１、好ましくは４０Ｗｍ−１Ｋ−１以上の熱伝導率を有する材料及び／又は５００Ｊｋｇ−１Ｋ−１、好ましくは１，０００Ｊｋｇ−１Ｋ−１、さらに好ましくは２，０００Ｊｋｇ−１Ｋ−１以上の比熱を有する材料を含むことができる。この材料は、場合に応じて、空洞内に収容されている化合物と接触することができる。塗布具は、５００Ｊｋｇ−１Ｋ−１以上の比熱を有する材料を含むことができる。この材料は、例えばガラス又は石材とすることができる。
熱伝導率が高いことによって、塗布具と手入れを行う領域との間での熱伝達が促進され、塗布具によって蓄えられた熱が許容する限り、熱効果の迅速な回復が簡単に行われる。
【００２４】
熱容量は、例えば、周囲温度２０℃において、初期に５０℃（均一温度）にした場合、塗布表面の温度が少なくとも１０分間、３０℃以上に維持されるのに十分である。
塗布具は、（均一に）５０℃に加熱して皮膚に適用した時、特に塗布表面の温度が、少なくとも３０秒間、好ましくは１分間、さらに好ましくは１５分間又は３０分間に亘って、３０℃以上に維持されるように作成することができる。
【００２５】
塗布表面は、１，０００Ｊｍ−２Ｋ−１ｓ−１／２以上、好ましくは５，０００Ｊｍ−２Ｋ−１ｓ−１／２以上、さらに好ましくは１０，０００Ｊｍ−２Ｋ−１ｓ−１／２以上の熱慣性を有する材料により、少なくとも部分的に画定することができる。
熱慣性は、定期的に露出させて皮膚と接触させた時、塗布表面の温度を維持する能力を特徴付けるものである。
【００２６】
熱慣性は、式（ｋ・Δ・Ｃ）１／２で定義され、式中、ｋは熱伝導率、Δは体積密度、及びＣは比熱である。
塗布具は、１５ｇ以上の質量を有することができる。質量を大きくすることにより、熱容量を増大させることができる。
【００２７】
塗布具は、１Ｗｍ−１Ｋ−１以下、好ましくは０．５又は０．１Ｗｍ−１Ｋ−１以下の熱伝導率を有する材料によって少なくとも部分的に画定された把持表面を有することができる。この材料は、プラスチック、例えば熱可塑性プラスチック、又は木材を含むことができる。この材料は、例えば細胞構造を有することができる。
組成物及び塗布具は、最初は同じパッケージング内に収容されていてよい。
【００２８】
塗布具は、非金属製であるが、密な、例えば１．１ｇ／ｃｍ３以上、好ましくは１．５ｇ／ｃｍ３以上の密度を有する材料、例えば砂、ガラス又はキンバーライトを含むことができる。
塗布具は、少なくとも１つの、例えば射出成型又はブロー成型によって成型された部分又は機械加工された部分を有することができる。
【００２９】
前述の空洞は、成型及び／又は機械加工によって作成することができる。塗布具は、状態を変化させることができる化合物を収容する１つ以上の空洞を有していてよい。
塗布具は、比較的密な材料及びプラスチック、例えばガラス及びプラスチックを含むことができる。
【００３０】
塗布表面は、柔軟で且つ研磨されているか、又は変形例として凹凸を含むか又は隆起点のような複数の突起を有することができる。
塗布表面は、硬い材料又は別の材料によって画定することができる。場合に応じて、塗布表面は、弾性膜、発泡体、フロック材料、プラスチックフィルム、スポンジ、フェルト、織布材料又は不織布材料によって少なくとも部分的に覆われた壁部によって少なくとも部分的に画定されていてよい。このようにして覆われた壁部は、例えば金属製の材料により少なくとも部分的に形成されている。
【００３１】
塗布具は、容器に着脱可能に装着されるように設計することができる。塗布具は、容器の閉鎖要素に着脱可能に固定されるように設計されていてよい。塗布具は、任意で、組成物を保持する容器の閉鎖要素としても機能できる。
また、塗布具は、組成物を取り上げることのできる分配器具に着脱可能に取り付けるように設計することができる。
【００３２】
容器は、塗布具を受容することができる凹部を有する拡張部も有することができる。
場合に応じて、塗布具及び容器は、共通の収容器具、例えばボックス、紙パック、ブリスターパック、フィルムパック又は小袋内に収容することができる。
【００３３】
塗布具は、手入れを行う領域に接触するように設計された１つ又は複数の回転式塗布具要素を備えることができ、この塗布具要素は、例えば塗布具を適用している間、皮膚を窪ませ、動かすことができる。
塗布具は少なくとも部分的に磁性であってよい。
【００３４】
塗布具は、例えば吸盤の形式に構成された、可撓性リップを備えることができる。
塗布具は、容器に装着した時に組成物の分配を可能にする通路を備えることができる。組成物はこの通路に接触することができるか、又はこの通路は、中で組成物が循環する分配ノズルを受容することができる。
【００３５】
塗布具は、発熱反応により共に反応する化合物を含まなくともよい。
塗布具は、着脱可能なバイブレータ及び／又は電源に接続された少なくとも１つ、例えば２つの着脱可能な電極を備えることができ、その電極間には電位差が形成される。
【００３６】
容器は、組成物を収容する可変容積の内部空間を有することができる。
塗布具は、着脱可能な部分によって少なくとも部分的に画定された塗布表面を有することができる。この塗布表面は、例えば、少なくとも部分的に吸収材料からなっており、例えば細胞様材料及び／又は繊維、又は剛毛を含み、例えば、塗布具から取り外して洗うことができる。この着脱可能な部分によって、例えば、塗布具を利用して、手入れを行う領域に組成物を更に広げることができる。
【００３７】
塗布具の厚みは、前述の空洞と塗布表面との間において小さくする（ｅｍｉｎ）ことができ、それは５０ｍｍ以下、好ましくは１０ｍｍ以下、さらに好ましくは１ｍｍ以下、例えば０．１〜１ｍｍ、例えば０．２〜０．８ｍｍとすることができ、それにより、塗布表面と空洞内に収容された液体との間での熱伝達を促進することができる。
塗布具は、少なくとも１つの温度計、例えばサーモクロミックインジケータを含むことができる。温度計は、その色を変化させて、例えば、塗布表面の温度が所定のしきい値より高いか低いかを使用者に警告することができる。
【００３８】
塗布具は、容器内に保持されている組成物の取上げ要素を備えることができる。この取上げ要素は、例えば、発泡体、凝集粒子材料、フェルト、織布材料、不織布材料、フロック材料又は剛毛を含む。取上げ要素は、塗布具の、塗布表面とは反対側の一方の端部に配置することができる。
塗布具は第１の部分を有することができ、この第１の部分には、例えば、プレス嵌め、スナップ装着、ねじ止め、溶接、接着、オーバーモールド又はクリンプによって、少なくとも１つの第２の部分が組み立てられる。
【００３９】
第１の部分は塗布表面を画定し、例えば比較的密な材料を含むことができる。第２の部分は把持表面を画定し、第１の部分より密度の小さい材料を含むことができる。第１の部分又は第２の部分は、熱を蓄えることのできる液体又は別の化合物を収容する空洞を満たすための開口部を有することができる。
容器は、組成物を収容する第１の区画と、塗布具を受容する第２の区画とを有し、更に第１及び第２の区画を同時に閉鎖することのできる閉鎖要素を有することができる。
【００４０】
容器はまた、塗布具を少なくとも部分的に受容する中央凹部を有することができる。
収容及び塗布具器具は、冷却される第１の塗布具と、加熱される第２の塗布具とを有することができる。第１の塗布具は液体を収容し、金属製の材料を含むことができ、第２の塗布具は金属を含まなくともよい。
【００４１】
空洞は、厚みが一定でない壁部によって画定することができる。
塗布具は、空洞が外部から到達不能であるように構成することができる。「外部から到達不能」という表現は、塗布具において、空洞内部に達するまで開いている通路がないことを意味する。当然ながら空洞は、塗布具の製造段階で前もって充填される。
【実施例】
【００４２】
本発明は、非限定的な実施形態に関する以下の詳細な説明と、添付図面の参照により、より深く理解することができる。
図１及び２に示す収容及び塗布具器具１は、体に塗布される化粧組成物Ｐを保持する容器２と、組成物Ｐを塗布する際に使用することができる塗布具３とを備えており、容器２と塗布具３は共通の軸Ｘを有する。
【００４３】
組成物Ｐは、例えば、しわ取り、引き締め、保湿、カラーリング、にきび予防、抗脂漏性作用、漂白、刺激作用、再生又は鎮静作用、及び／又は皮膚のシミ隠しといった、少なくとも１つの作用をもたらすことを目的としている。
化粧組成物Ｐは、例えば、７６／７６８／ＥＥＣを改正する１９９３年６月１４日付け指令書９３／３５／ＥＥＣ（ＥＵ化粧品指令）に定義されたようなものである。
【００４４】
組成物Ｐは、例えば、容器２内における５５℃以上の温度での長時間の保存には耐えられない。
組成物Ｐは、場合によっては、３０℃と、塗布具が達する温度との間で状態が変化する少なくとも１つの化合物を含有することができる。組成物Ｐは、例えばワックス中に、粒子の分散液を含んでいてよい。
【００４５】
考えられる実施例では、容器２は、ねじ山が設けられたネック５と、このネック５に、例えばねじ止めによって着脱可能に固定されるカバー６とが上部に設けられている本体４を備えたポットの形状である。
カバー６及びネック５は、容器２を漏れが生じないように閉鎖できるシール手段を有することができる。
【００４６】
カバー６は、上部で開いている凹部７を画定する上壁８を有し、この凹部に、使用しないときに塗布具３を嵌め込むことができる。
塗布具３は、例えば凹部７内に摩擦により保持される。
【００４７】
塗布具３は、手入れを行う領域、例えば皮膚に接触する塗布表面９と、使用者が塗布具３を操作するために把持することができる把持表面１０とを有している。
塗布表面９は、例えば、塗布具３が凹部７内に受容されている時には、容器２の反対側に位置する。
【００４８】
把持表面１０は、例えば、塗布具の底面１３から、例えば塗布具の全高さの３分の１を超える高さ、例えば塗布具の全高さのほぼ半分を超える高さまで延びる側方の表面である。
考えられる実施例では、塗布具３は、熱を蓄える化合物Ｌ、例えばろう、油又は水を収容することができる内部空洞１２を有している。例えば化合物がろうである場合、その融点は例えば３０〜８０℃であってよい。
【００４９】
化合物Ｌの量は、例えば、蓄えたい熱量に応じて０．５〜１０ｃｍ３である。
図示しない変形例では、空洞１２は、粉体、例えば砂で充填される。
【００５０】
考えられる実施例では、内部空洞１２は、塗布表面９を画定する第１の部分１６と、第１の部分と組み立てられる第２の部分１４との間に形成されている。
第１の部分１６は、例えば、電子レンジでの用途に適したガラス又はセラミックスからなる。
【００５１】
第２の部分１４は、例えばプラスチックからなり、例えば、軸Ｘを有するシールリップ１８を含み、これが第１の部分１６を覆うことにより漏れのないアセンブリが得られる。
第１の部分１６は、例えば軸Ｘ方向に向かうにつれて、軸Ｘ上で測定した厚みが薄くなる上部壁２９を有しており、これにより、塗布具３の中央領域において、空洞１２と塗布表面９との間の熱伝達が促進される。
【００５２】
第１の部分と第２の部分の組立ては、図２の実施例では、様々な方法、例えばねじ止め又はプレス嵌め、接着、スナップ装着、溶接、オーバーモールド又はクリンプによって行うことができる。
図３に示す変形例では、塗布具３は、液体Ｌで満たされた空洞１２を有さない。
【００５３】
この場合、第１の部分１６は中実で、所望の結果を得るのに十分な熱容量及び熱伝導率を有する材料から形成されている。この材料は、例えば、ガラス、高密度の石材又は充填プラスチックを含む。
第２の部分１４は、把持表面１０を熱的に絶縁する上で有効なものにすることができ、例えば、１Ｗｍ−１Ｋ−１以下の熱伝導率を有するプラスチック又は木材から形成することができる。
図示されていない一変形例では、塗布具は、単一の材料からなる一体部材とすることもできる。
【００５４】
図３７に示す態様では、第１の部分１６は、例えばプレートから形成されている。
第２の部分１４は、例えば、第１の部分１６をスナップ装着によって固定できるように設計されている。
【００５５】
第２の部分１４は、第１の部分１６の内表面に接するシール２８１を受容できる溝２８０を含むことができる。第１の部分１６は、第２の部分１４を化合物Ｌで充填した後に第２の部分１４に固定することができる。
塗布具３は、手入れを行う領域に適応する形状を有するように作成することができる。
【００５６】
図１〜３に示す塗布具３の幅は比較的広く、例えば幅が高さより大きく、例えば顔以外の領域を手入れすることを目的としている。
図４に、顔への適性が高い幅の狭い塗布具３を有する収容及び塗布具器具１を示す。この塗布具３の場合、高さが例えば幅よりも大きいことが図５に示されている。
【００５７】
図６及び７に、容器２が、塗布具３を少なくとも部分的に嵌めることのできる中央凹部３０を有する別の実施形態による器具を示す。
この凹部３０は、図示のように、例えば容器２を完全に貫通している。
【００５８】
塗布具３は、例えば、接触表面３５が容器２のカバーの上部に接して搭載されるように設計されており、塗布具３は例えばほぼキノコの形状である。よって、接触表面３５は環状とすることができる。
図７に示す塗布具３は、図示のように、空洞１２を有するように形成することができ、この空洞１２は、塗布具３を容器２上に置いた時、例えば少なくとも部分的に凹部３０内に延びる。
【００５９】
接触表面３５は第１の部分１６によって画定することができる。
図１〜５に例示するような塗布具３を使用するために、この塗布具３を電子レンジに入れて加熱することができる。
【００６０】
化粧組成物Ｐを保持する容器２は、例えば電子レンジ外部の周囲温度に維持して、塗布具３よりも低い温度で保持することができる。
さらに、使用者は、例えば指で容器２から組成物Ｐを取り上げ、手入れを行う領域又は塗布具３に塗布することができる。
【００６１】
その際、塗布具３は手入れを行う領域に接触させることができる。
塗布具３は、皮膚と接触させて円状に又は線状に動かし使用することにより、例えばマッサージ作用をもたらす及び／又は場合によっては組成物Ｐを広げて伸ばすことができる。使用者は、塗布具を、皮膚上で実質的に運動させずに、異なる点で連続的な圧力をかけることによって使用することもでき、これにより、例えば温熱鍼（thermopuncture）治療を行うことができる。塗布具３を皮膚に接触させることもできる。皮膚又は皮膚に適用される基材の熱アイロンに等しい効果を得ることもできる。
場合によっては、塗布具３は、容器２から組成物Ｐを取り上げるために使用することができる。
【００６２】
図８は、容器２が、閉鎖キャップ３２によって閉鎖される分配ノズルを有する管の形態を取ることが可能であることを示す。
塗布具３の本体３４内に形成された凹部３３を利用して塗布具を閉鎖キャップ３２に固定することができる。
【００６３】
塗布具３のキャップ３２への保持は、例えば摩擦又は別の手段、例えばスナップ装着又はねじ止めによって行うことができる。
図示するように、本体３４には、化合物Ｌを収容する空洞１２を作成することができるか、又は本体は中実とすることができる。
【００６４】
塗布具３を使用するために、使用者は、塗布具３を容器２から分離し、電子レンジに入れることができる。
その後、使用者は、容器２に保持されている組成物を、塗布具３又は手入れを行う領域へと分配することができる。
使用者は、塗布具３を本体３４上に再び載せることなく、本体３４を把持要素として使用することができるか、変形例としては、容器２が把持表面を画定している場合、塗布具３を容器２に再び装着させた後に使用することができる。
【００６５】
図９は、容器２が、ネックを備えたボトルである別の実施形態を示し、この場合、本体３４は、ネックへのねじ止めにより閉鎖キャップとして機能する。
組成物Ｐは図１０に示すように容器２内に保持することができ、その場合容器２は、組成物Ｐを受容する第１の区画３６と、塗布具３を受容する第２の区画３７とを有している。
【００６６】
考慮可能な実施例では、これらの２つの区画３６及び３７は共通のカバー３８によって閉鎖され、このカバー３８が例えばシールスカート３９を有することにより、第１の区画３６を漏れがないように閉鎖している。
図１０に示す実施例では、このカバー３８はねじ止めされるが、図示しない変形例では別の手段によって装着され、例えば容器２に挿入されるか又はヒンジにより容器２に保持される。
【００６７】
第２の区画３７は、場合によっては、異なる形状を有し及び／又は異なる方法で、例えば少なくとも１つは冷却され、少なくとも別の１つが加熱されて使用される、複数の塗布具３を収容することができる。
組成物Ｐは、図１１に示すように、塗布具３を収容する拡張部４０が組み込まれた容器２内に保持することができる。
【００６８】
この拡張部４０は例えば側方に延び、塗布具３を受容するのに適した形状の凹部４１を含むことができる。
塗布される組成物Ｐは、少なくとも２つの塗布具３と共に使用者に提供することができ、その場合、例えば一方の塗布具は冷却され、他方の塗布具は加熱される。
【００６９】
これらの２つの塗布具３は、組成物Ｐを保持する容器２を備えたキットの形態で使用者に提供することができる。
このキットは、例えば、図１２に示すように、非使用時に容器２及び塗布具３を収容することのできるホルダ４５を有している。
【００７０】
このホルダ４５は、例えば、組成物Ｐを保持する容器２を受容する凹部４６、並びにそれぞれ１つの塗布具３を受容する２つの凹部４７及び４８を含むことができる。
図示しない一変形例では、容器２は、ホルダ４５と一体部材に形成される。
【００７１】
容器２は、例えば図１３に示すボックス５０のようなパッケージ内に入れられて少なくとも１つの塗布具３と共に使用者に提供することもできる。
組成物Ｐは、パウダー、クリーム、ペースト、ジェル又は液体の状態を取ることができるか、又は例えば織布材料、不織布材料、発泡体又はフェルトのような基材に含浸させる及び／又はそのような基材を被覆することができる。
【００７２】
図１５に示すように、例えばマスク又はパッチの形態の基材５２を皮膚に適用することができ、その後加熱した塗布具３をその基材５２に接触させる。
基材５２は、個々のパック５３に収容し、少なくとも１つの塗布具３と併せてキットの形態で使用者に提供することができ、そのセットは、図１４に示すように例えばパッケージ５４内に収容される。
【００７３】
図示しない一変形例では、複数の基材を、個々のパックではなく１つの共通のパッケージに入れて提供することもできる。
組成物を含浸させた基材は、任意で実質的に無水とすることができ、使用時に水等の溶媒で湿らすことが可能である。
【００７４】
図１６は、本発明を実施するためのキットの別の実施例を示す。
塗布具３は、塗布される組成物を含む基材６２を受容するか、又は凹部６０に嵌合可能な形状を有するブロックの形態の組成物自体を受容する凹部６０を含む。
【００７５】
基材６２又は組成物のブロックは、例えば個々のパック６４に収容することができる。
基材６２に含まれるか又はブロックを構成する組成物の量は、一回の使用量に相当する量とすることができる。
【００７６】
使用の際は、基材６２又は組成物のブロックをパック６４から取り出し、塗布具の凹部６０内に挿入する。
凹部６０の深さは例えば基材６２よりも浅く、これにより、使用者は手入れを行う領域に組成物を塗布することができる。
【００７７】
凹部６０は、例えば、塗布具３の、ガラス、セラミックス又は石材の部分に形成され、よって基材６２又は組成物のブロックと塗布具３との間の熱交換が促進される。
基材６２又は組成物のブロックは、加熱された塗布具に配置することができる。
【００７８】
塗布後、基材６２は凹部６０から引き出すことができる。
塗布具３は、他の様々な方法で作成することもできる。
特に、化合物Ｌを収容する空洞１２は、様々な方式で閉鎖することができる。
【００７９】
図１８に、第１の部分１６及び第２の部分１４がねじ止めによって協働する実施形態を示す。第２の部分１４は、第１の部分１６の内周面に接触するシールリップ７０を有しており、これにより、空洞１２は漏れがないように閉鎖される。
第２の部分１４は、ねじ山付きスカート７１を含み、このスカート７１は第１の部分１６を部分的に覆い、且つ把持表面１０を画定する。
【００８０】
図１９に示す別の実施形態では、第１の部分１６と第２の部分１４とは、シール７２を中間に挿入した形で組み立てられる。
第２の部分１４の、例えば第１の部分１６の側にねじ山が切られていて、第１の部分１６を第２の部分１４にねじ止めすることができる。
【００８１】
塗布具３は、図２０に示すように、把持表面１０及び塗布表面９を画定する本体７６を有することもできる。この本体には、化合物Ｌが充填される空洞１２を画定する凹部を形成することができる。
空洞１２は、例えばプラグ７８によって閉鎖することができ、プラグ７８は様々な手段によって、例えばスナップ装着によって、本体７６に固定することができる。プラグ７８は、空洞１２を画定する本体７６の表面に接触する環状のシールリップ７９を含むことができる。
【００８２】
図２１に示す別の実施形態は、図１８に示す実施形態に極めて類似している。
しかしながら、第２の部分１４は、第１の部分より横方向に大きく延びるスカート７１を有している。
さらに、第１の部分１６の、空洞１２と塗布表面との間の厚みが、図１８に示す実施形態より小さい。
【００８３】
図２２に示す塗布具３は、空洞１２が、空洞１２を充填するために使用される開口部の周りで本体７６に例えば溶接された底部８０により閉鎖されているという点で、図２０に示すものと異なる。
底部８０は、例えば、化合物Ｌに対して不浸透性の材料からなるシートであり、場合によっては透明であってよい。
【００８４】
塗布具３は、様々な外側形状、例えば図２３に示すように広がったヘッドを有する細長い形状を有するように作成することができる。
空洞１２の長さは、塗布具の高さに相当する大きさとすることができる。
図２３の実施例では、空洞１２は、塗布具３の長さの半分を超える長さに亘って延びており、この場合、特に塗布具３の全長に亘って延びている。
【００８５】
図２４に示す実施形態では、塗布具３のヘッドは丸い。
この図に示すように、塗布具は、空洞１２を画定する壁部３０１を覆う被覆材３００によって画定される塗布表面９を有することができる。被覆材３００は、例えば、弾性膜、織布又は不織不材料である。
【００８６】
塗布具３の塗布表面９は、突起、例えば図２５に示すような突起８５を有することができる。突起８５は、例えば弾性材料から形成することができる。場合によっては、突起８５は着脱可能な部分８６上に形成することができ、これにより、行う手入れに応じて突起８５の選択が可能になる。構成部品８６の装着は、例えばねじ止めによって行うことができる。
【００８７】
塗布具３は、図２６に示すような平らな部分を有する塗布表面９を備えることができ、この塗布表面９は、例えば塗布具３の長軸Ｘに対して斜めに延びていてよい。
また、図２６に示すように、空洞１２は、空洞１２を化合物Ｌで満たすことを可能にする開口部を有することができ、この開口部は、例えば少量の接着剤によって形成されるプラグ８８により閉鎖することができる。
【００８８】
図２７は、化合物Ｌによって満たされる空洞１２を画定する第１の部分１６と、図示のように空洞１２を含まなくともよい細長い取っ手の形態の第２の部分１４とを有する塗布具３を示す。
塗布表面は、図２８に示すように、幅狭の部分９１によって塗布具の残りの部分に連続するヘッド９０によって画定されていてもよい。幅狭の部分９１は、場合によっては可撓性とすることができ、使用時に曲げることができる。
【００８９】
第１の部分１６は、第２の部分１４内に例えばスナップ結合されており、空洞１２が第１の部分１６の内部に形成され、その一方の端部は第２の部分１４によって閉鎖されている。
塗布具３の塗布表面９は、図２９及び３０に示すように、例えば弾性的に変形可能な材料、例えば発泡体からなる嵌合部分９５によって少なくとも部分的に画定することができる。
嵌合部分９５の形状は環状とすることができ、塗布具本体９８の拡張部９６に装着することができる。場合によっては、拡張部９６の上部９９を、塗布表面として機能さることもできる。構成部品９５は使用後に掃除することができる。
【００９０】
図２９に示すように、塗布具３は温度計３０５を有することができ、この温度計３０５が色を変えて、塗布表面９が手入れを行うのに許容可能な温度であることを示す。
塗布表面９は、図３１に示すように、製品を蓄えることのできる少なくとも１つの窪み１００、又は図３２に示すようなスロット１０１を有することができる。
【００９１】
塗布表面９は、図３３に示すように一端を一点によって画定することができるか、又は図３４に示すように斜めに面取りされた端面によって画定することができる。
図３３はまた、塗布表面９がフロックのカバー３１０を有することができることを示す。
【００９２】
図３５に示すように、塗布表面９は、塗布具３の第１の部分１０５の凹部１０４内に固定されている熱伝導性材料の塊状部分１０３によって画定することもできる。この第１の部分は、化合物Ｌを含む空洞１２を画定することができ、第１の部分１０５よりも熱伝導性の低い材料からなる把持部分１０６によって支持されていてよい。塊状部分１０３は、例えば、セラミック、ガラス又は高密度の石材である。
図３６に示すように、塗布表面９は、空洞１２に収容される化合物Ｌと直接接触する部分１１０によって形成することができる。
【００９３】
この部分１１０は例えばガラスから形成され、空洞１２は、例えば絶縁プラスチックからなる本体１１１の内部に形成される。
プラグ１１２を本体１１１にねじ止めすることにより、空洞１２の底部を閉鎖することができる。
【００９４】
塗布具３は、図３８に示すように、形状の異なる２つの塗布表面９、例えば丸い形状の塗布表面と、先端が面取りされた形状の塗布表面とを有することができる。
塗布具３の中央の領域には把持表面１０を画定する絶縁リング１１８を設けることができる。
【００９５】
異なる形状の塗布表面９は、例えば塗布具３の両端部に配置される。
塗布具３の両端部はまた、異なる形状又は同じ形状の、図３９に示すように同じ側に配置された塗布表面９を有していてもよい。
【００９６】
塗布具３は例えばＵ字型とすることができ、この場合、Ｕ字の両端部が塗布表面９を画定し、Ｕ字の底部分が、把持表面１０を画定する。
塗布具３は、図４０に示すように、平坦な表面Ｓ上に載せたとき、空洞１２に収容されている化合物Ｌが、塗布表面９を画定する壁部１２０と接触することができるように設計することができる。
【００９７】
場合によっては、図４１に示すように、塗布具３は非使用時にホルダ１３０に配置することができる。
図４２に示すように、塗布具３の少なくとも一部は弾性的に変形可能とし、塗布表面９を少なくとも部分的に可撓性のリップ１３５によって画定することができる。これにより、吸盤の効果を生じさせることができる。
【００９８】
塗布表面９は可動部材によって画定することができ、特に図４３に示すように、例えば長軸Ｘに対して垂直な回転軸Ｙを中心に回転する、例えばローラ１４０によって画定することができる。
図４３に示すように、容器２には、ポンプ又はバルブ等の分配器具１４１を設けることができ、これにより、手入れを行う領域に、又は皮膚に接触させる前の塗布表面９に、組成物を分配することが可能となる。
【００９９】
塗布表面９は、図４４に示すように、ボール１４５等の回転する部材によって画定することができる。
ボールは、着脱可能に容器２に装着可能なホルダ１４６によって担持することができる。これによって、使用者は、ホルダ１４６を取り外すことにより、容器内に保持された組成物Ｐをマイクロ波に曝すことなくホルダを加熱することができる。ボールは、場合によっては、空洞１２及び化合物Ｌを含む。
【０１００】
加熱後、ホルダ１４６は容器２に再び装着することができ、この容器２は把持要素として使用される。
一変形例では、塗布具３上のスカート１４８により、容器２への装着が可能となり、このスカート１４８は把持表面１０を画定することができる。
【０１０１】
図４５は、塗布表面９が、ほぼ環状の塗布具３によって画定される別の実施形態を示す。この塗布具は容器２上の直立部１５０の周りに配置することができ、この直立部を通って組成物Ｐが分配される。
容器２には、非使用時に直立部１５０を閉鎖するための閉鎖要素１５１を嵌めることができる。塗布具３を使用するため、使用者は容器２から塗布具３を取り外し、電子レンジに入れる。
次いで加熱後に、塗布具３を再び直立部１５０の周りに嵌めると、容器２を把持要素として使用して、手入れを行う領域に塗布表面９を接触させることができる。
【０１０２】
図４６に示す実施例では、塗布具３は、手入れを行う領域に熱を適用するための塗布表面９と、容器２内に保持された製品を取り上げるための要素１５５とを有している。
この取上げ要素１５５は、塗布具３の、例えば塗布表面９とは反対側に配置される。
【０１０３】
容器２は、例えば、取上げ要素１５５を受容するための凹部１５６を有し、この凹部１５６は、組成物Ｐを収容するスペース１５７から、穴の空けられた壁部１５８によって分離されており、この壁部１５８により、取上げ要素１５５が含むことができる量が制限されている。場合によっては、取上げ要素１５５を使用して、手入れを行う領域に組成物Ｐを塗布することができる。
塗布具３は、容器２の、例えば容器２にねじ止めされる閉鎖要素１６０と一体式にすることができる。
【０１０４】
図４６に示す器具１を使用する場合、使用者は、塗布具３を容器から分離して電子レンジに入れる。次に、例えば器具１を振った後で、凹部１５６から塗布具３により組成物Ｐを取り上げ、取上げ要素１５５内及び／又は上に含まれる組成物を、この取上げ要素１５５を使用して塗布することができる。組成物を塗布した後、使用者は、塗布具３を回転させ、塗布表面９を使用して熱を適用することができる。使用者は、塗布具３を容器から分離して電子レンジに入れる。
【０１０５】
図４７に示す実施例では、塗布表面９は、容器２内部の組成物と接触している。容器２は、塗布具３に付着しうる余分な製品を除去できるワイパエレメント１６５を有することができる。
塗布具３は、塗布具に担持させる製品の量を増大することができる及び／又は手入れを行う領域に塗布具を適用する際の塗布具３の可撓性を高めることができる突起１７０を有することができる。
【０１０６】
塗布具３は、ポンプ又はバルブ等の分配器具１７５上に搭載することができ、この分配器具１７５は、押し下げる及び／又は傾けると組成物を分配するステム１７６を有している。
塗布具３は、ステム１７６によって製品を運ぶことのできる、塗布表面９に達する内部チャネル１７７を有することができる。
【０１０７】
図４８の実施例では、塗布具３がカバースカート１７９を有し、よって分配器具１７５の全体又は一部を隠すことができ、把持表面を画定することもできる。
図４８に示す器具１は、まず塗布具３を分配器具１７５から分離し、次いで塗布具３を分配器具１７５から独立して加熱することにより使用される。
【０１０８】
加熱後、塗布具３を分配器具１７５に再び装着し、塗布具３を作動することによって、チャネル１７７を通して製品を分配することができる。
図４９は、分配器具１７５が、浸水管１８０によって供給が行われるポンプを有する一変形例を示す。
【０１０９】
図５０の実施例では、塗布具３は、容器のネックにねじ止めすることができ、例えば外側に向かって凹んだ塗布表面９を有しており、この塗布表面９の底部に組成物Ｐを運ぶためのアパーチャ１８３が設けられている。塗布具の本体１８４は、塗布具３の熱慣性を増大させるためのインサート１８６を有することができる。
塗布具３の形状に関係なく、塗布具３には図５１に示すようなバイブレータ１９０を設けることができる。
【０１１０】
このようなバイブレータ１９０は、例えば偏心重量体１９２を回転駆動させて振動を生じさせるモータ１９１を有する。モータ１９１は、場合によっては充電可能な、１つ以上の電池１９３によって電力供給することができる。
バイブレータ１９０は、塗布具３の、塗布表面９を有する部分１９５に着脱可能に装着され、よって同じバイブレータ１９０を異なる別の塗布表面９と共に使用することができ、またバイブレータを外して塗布具を電子レンジに入れることができる。
【０１１１】
塗布具３はまた、塗布の際に手入れされる領域に電気的な刺激を与えるため、少なくとも１つの電極、例えば２つの電極２００を有することができる。これらの電極は、例えば、把持表面１０を画定する電池２０２に電気的に接続されている。
塗布具３によって、電極２００を加熱することが可能である。
【０１１２】
図５２に示す塗布具３を使用するときは、塗布具３を電池２０２及び電極から分離させて電子レンジに入れる。
所望の温度に達したら、塗布具３を電池２０２に再び装着し、電池２０２を把持要素として使用して、手入れを行う領域に電極２００を接触させることができる。
塗布具３は、磁気特性を有していてもよい。
【０１１３】
例として、図５３に、磁気粒子を充填した本体２２０を有する塗布具３を示す。
ここに示す実施例では、本体２２０は、化合物Ｌを収容する空洞１２を少なくとも部分的に画定することができる。場合によっては、磁界の存在により、塗布具３の熱容量を増大させることができる。
【０１１４】
図５４及び５５に示す収容及び塗布具器具の塗布具３は２つのローラ２４０を含み、これらのローラは、塗布具３と容器２との一体化を可能にするベース２４２に接続された可撓性のロッド２４１に搭載されている。
例えば、容器２の一方の端部は、容器２に塗布具３を装着するためのねじ山２４３を含み、他方の端部は分配アパーチャ２４５を閉鎖するカバー２４４を備えている。
ローラ２４０は、所望の熱容量を提供するように設計されており、化合物Ｌで充填される空洞を有することができる。
【０１１５】
図５６に示す変形例では、容器２には、ポンプ又はバルブ等の分配器具２４８が設けられている。組成物は、例えば容器２内において加圧下で保持されている。
図示のように、塗布具３は、非使用時に塗布表面９を保護する保護キャップ２４９を有することができる。
【０１１６】
場合によっては、図５７に示すように、塗布具３は、電子レンジを用いて加熱する必要がある場合、安全カプセル３００内に収納することができる。
安全カプセル３００は、例えば温度計３０１を備えることができる。
【０１１７】
本発明は、上述の実施例に限定されるものではない。
また、特に、開示された様々な実施形態の特定の特徴を組み合わせることが可能である。
上述のいずれか１つの塗布具にバイブレータを装着することが可能である。
特に断らない限り、「１つの〜を含む」という表現及びそれと同じ意味の表現は、「少なくとも１つの〜を含む」という表現と同義であると理解されたい。
【図面の簡単な説明】
【０１１８】
【図１】本発明の一実施例によって作成された器具の正面図である。
【図２】図１の器具の概略的な縦断面図である。
【図３】塗布具の別の実施形態を独立して示す。
【図４】別の実施形態による器具の正面図である。
【図５】図４の塗布具の独立正面図である。
【図６】本器具の別の実施形態の斜視図である。
【図７】図６の器具の縦断面図である。
【図８】本発明の別の実施形態による器具の概略的部分縦断面図である。
【図９】本発明のさらに別の実施形態による器具の概略的部分縦断面図である。
【図１０】本発明のさらに別の実施形態による器具の概略的部分縦断面図である。
【図１１】本発明のさらに別の実施形態による器具の概略的部分縦断面図である。
【図１２】本発明のさらに別の実施形態による器具の概略的部分縦断面図である。
【図１３】本発明を実施するための例示的なキットの概略的な斜視図である。
【図１４】本発明を実施するための別の例示的なキットの概略的な斜視図である。
【図１５】図１４に示すキットの使用法を示す。
【図１６】本発明を実施するための別の例示的なキットの概略図である。
【図１７】使用中の図１６の塗布具を示す。
【図１８】塗布具の別の実施形態の概略的な縦断面図である。
【図１９】塗布具のさらに別の実施形態の概略的な縦断面図である。
【図２０】塗布具のさらに別の実施形態の概略的な縦断面図である。
【図２１】塗布具のさらに別の実施形態の概略的な縦断面図である。
【図２２】塗布具のさらに別の実施形態の概略的な縦断面図である。
【図２３】塗布具のさらに別の実施形態の概略的な縦断面図である。
【図２４】塗布具のさらに別の実施形態の概略的な縦断面図である。
【図２５】塗布具の別の実施形態を示す。
【図２６】塗布具のさらに別の実施形態の概略的な縦断面図である。
【図２７】塗布具のさらに別の実施形態の概略的な縦断面図である。
【図２８】塗布具のさらに別の実施形態の概略的な縦断面図である。
【図２９】塗布具の別の実施形態の概略的な斜視図である。
【図３０】図２９の塗布具の部分的縦断面図である。
【図３１】塗布具の別の実施形態の正面図である。
【図３２】塗布具のさらに別の実施形態の正面図である。
【図３３】塗布具のさらに別の実施形態の正面図である。
【図３４】塗布具のさらに別の実施形態の正面図である。
【図３５】塗布具の別の実施形態の概略的な部分縦断面図である。
【図３６】塗布具のさらに別の実施形態の概略的な部分縦断面図である。
【図３７】塗布具のさらに別の実施形態の概略的な部分縦断面図である。
【図３８】塗布具のさらに別の実施形態の正面図である。
【図３９】塗布具のさらに別の実施形態の概略的な斜視図である。
【図４０】塗布具のさらに別の実施形態の概略的な部分縦断面図である。
【図４１】塗布具のさらに別の実施形態の概略的な部分縦断面図である。
【図４２】塗布具のさらに別の実施形態の概略的な部分縦断面図である。
【図４３】塗布具のさらに別の実施形態の概略的な部分縦断面図である。
【図４４】塗布具のさらに別の実施形態の概略的な部分縦断面図である。
【図４５】塗布具のさらに別の実施形態の概略的な部分縦断面図である。
【図４６】塗布具のさらに別の実施形態の概略的な部分縦断面図である。
【図４７】塗布具のさらに別の実施形態の概略的な部分縦断面図である。
【図４８】塗布具のさらに別の実施形態の概略的な部分縦断面図である。
【図４９】塗布具のさらに別の実施形態の概略的な部分縦断面図である。
【図５０】塗布具のさらに別の実施形態の概略的な部分縦断面図である。
【図５１】塗布具のさらに別の実施形態の概略的な部分縦断面図である。
【図５２】塗布具のさらに別の実施形態の概略的な部分縦断面図である。
【図５３】塗布具のさらに別の実施形態の概略的な部分縦断面図である。
【図５４】収容及び塗布用器具の別の実施例の斜視図である。
【図５５】塗布具の概略的な部分断面図である。
【図５６】図５４とは別の実施形態による収容及び塗布用器具の斜視図である。
【図５７】塗布具の安全カプセルの概略図である。
【符号の説明】
【０１１９】
１    収容及び塗布具器具
２    容器
３    塗布具
４    本体
５    ネック
６    カバー
７    凹部
８    上壁
９    塗布表面
１０  把持表面
１２  空洞
１３  底面
１４  第２の部分
１６  第１の部分
１８  シールリップ
２９  上壁部
３０  中央凹部
３２  閉鎖キャップ
３３  凹部
３４  本体
３５  接触表面
３６  第１の区画
３７  第２の区画
３８  カバー
３９  シールスカート
４０  拡張部
４１  凹部
４５  ホルダ
５０  ボックス
５２  基材
５３  個々のパッケージ
５４  パッケージ
６０  凹部
６２  基材
６４  個々のパック
７０  シールリップ
７１  スカート
７２  シール
７６  本体
７８  プラグ
７９  シールリップ
８０  底部
８５  突起
８６  着脱可能な要素
８８  プラグ
９０  ヘッド
９１  幅狭の部分
９５  嵌合された部分
９６  拡張部
９８  本体
９９  上部
１００  窪み
１０１  スロット
１０３  塊状部分
１０４  凹部
１０５  第１の部分
１０６  把持部分
１１０  部分
１１１  本体
１１２  プラグ
１１８  絶縁リング
１２０  壁部
１３０  ホルダ
１３５  リップ
１４０  ローラ
１４１  分配器具
１４５  ボール
１４６  ホルダ
１４８  スカート
１５０  直立部
１５５  取上げ要素
１５６  凹部
１５７  スペース
１５８  壁部
１６０  閉鎖要素
１６５  ワイパエレメント
１７０  突起
１７５  分配器具
１７６  ステム
１７７  内部チャネル
１７９  カバースカート
１８０  浸水管
１８３  アパーチャ
１８４  本体
１８６  インサート
１９０  バイブレータ
１９１  モータ
１９２  偏心重量体
１９３  電池
１９５  塗布表面９を有する部分
２００  電極
２０２  電池
２２０  本体
２４０  ローラ
２４１  ロッド
２４２  ベース
２４３  ねじ山
２４４  カバー
２４５  分配アパーチャ
２４８  分配器具
２４９  保護キャップ
２８０  溝
２８１  シール
３００  被覆材、安全カプセル
３０１  壁部、温度計
３０５  温度計
３１０  カバー
ｅｍｉｎ  厚み
Ｌ    化合物
Ｐ    組成物
Ｓ    平坦な表面
Ｘ    軸
Ｙ    回転軸
【図１】
2007181668.tif 000003
【図２】
2007181668.tif 000004
【図３】
2007181668.tif 000005
【図４】
2007181668.tif 000006
【図５】
2007181668.tif 000007
【図６】
2007181668.tif 000008
【図７】
2007181668.tif 000009
【図８】
2007181668.tif 000010
【図９】
2007181668.tif 000011
【図１０】
2007181668.tif 000012
【図１１】
2007181668.tif 000013
【図１２】
2007181668.tif 000014
【図１３】
2007181668.tif 000015
【図１４】
2007181668.tif 000016
【図１５】
2007181668.tif 000017
【図１６】
2007181668.tif 000018
【図１７】
2007181668.tif 000019
【図１８】
2007181668.tif 000020
【図１９】
2007181668.tif 000021
【図２０】
2007181668.tif 000022
【図２１】
2007181668.tif 000023
【図２２】
2007181668.tif 000024
【図２３】
2007181668.tif 000025
【図２４】
2007181668.tif 000026
【図２５】
2007181668.tif 000027
【図２６】
2007181668.tif 000028
【図２７】
2007181668.tif 000029
【図２８】
2007181668.tif 000030
【図２９】
2007181668.tif 000031
【図３０】
2007181668.tif 000032
【図３１】
2007181668.tif 000033
【図３２】
2007181668.tif 000034
【図３３】
2007181668.tif 000035
【図３４】
2007181668.tif 000036
【図３５】
2007181668.tif 000037
【図３６】
2007181668.tif 000038
【図３７】
2007181668.tif 000039
【図３８】
2007181668.tif 000040
【図３９】
2007181668.tif 000041
【図４０】
2007181668.tif 000042
【図４１】
2007181668.tif 000043
【図４２】
2007181668.tif 000044
【図４３】
2007181668.tif 000045
【図４４】
2007181668.tif 000046
【図４５】
2007181668.tif 000047
【図４６】
2007181668.tif 000048
【図４７】
2007181668.tif 000049
【図４８】
2007181668.tif 000050
【図４９】
2007181668.tif 000051
【図５０】
2007181668.tif 000052
【図５１】
2007181668.tif 000053
【図５２】
2007181668.tif 000054
【図５３】
2007181668.tif 000055
【図５４】
2007181668.tif 000056
【図５５】
2007181668.tif 000057
【図５６】
2007181668.tif 000058
【図５７】
2007181668.tif 000059
【外国語明細書】
2007181668000001.pdf
2007181668000002.pdf
2007181668000003.pdf
2007181668000004.pdf